(57)【特許請求の範囲】
【請求項１】
印刷されたシートに散粉する方法であって、シートの一面又は両面を印刷機で印刷した後に、粉末（３）を適量配分機構（１）によって貯蔵容器（２）から取り出し、空気流によってシートに吹き掛け、シートが存在するときは何時でも、粉末を空気流中で運んで、吹き出す方法において、
混合流路（２４）に連続して一定量の空気を流し、この流している間に、散粉されるシートの表面が存在するときに、前記適量配分機構（１）は、混合流路内の空気流に粉末(３)を供給し、散紛されるシートの表面が存在しないときには、混合流露内の空気流に粉末（３）を供給しないように、散紛されるシートの供給と、粉末の空気流への供給とは同期されており、前記混合流路内への空気流は、一流路で一方向に流されること、を特徴とする方法。
【請求項２】
前記空気流は、前記適量配分機構（１）を通り、この空気流の追加による低圧により、粉末は、空気流路（２４）に前記適量配分機構（１）から供給されて、シートの表面へと空気流と共に吹き出すこと、を特徴とする請求項１に記載の方法。
【請求項３】
前記適量配分機構（１）は、粉末を空気流に導く適量配分用ロール（６）を有し、この適量配分用ロールの回転数によって粉末の供給量を調節すること、を特徴とする請求項１もしくは２に記載の方法。
【請求項４】
前記適量配分機構（１）は、粉末を空気流に導く適量配分用ロール（６）を有し、この適量配分用ロールの回転は、シートの寸法に応じて、適量配分用ロールの駆動用のクロック周波数によって調節すること、を特徴とする請求項１もしくは２に記載の方法。
【請求項５】
粉末（３）用の貯蔵容器（２）と、この貯蔵容器（２）に後置されており、粉末（３）を送る空気流に通じている適量配分機構（１）とを具備し、印刷されたシートに散粉する、請求項１ないし４のいずれか１に記載の方法を実行するための、装置において、
前記適量配分機構（１）は、印刷されるシートの存在に対応して、同期的に駆動可能であり、前記適量配分機構は、水平に設けられた回転軸（７）を有する回転対称の物体（６）を有し、この回転対称の物体(６)は、周方向に設けられ、粉末が詰められる複数の溝（１０）を有し、前記回転対称の物体は、駆動装置（１８）としてのステップモーター（１９）により回転されて、粉末を空気流の方へ送ること、を特徴とする装置。
【請求項６】
前記回転対称の物体の溝（１０）から粉末(３)を剥がす装置をさらに具備すること、を特徴とする請求項５に記載の装置。
【請求項７】
前記剥がす装置は、前記溝（１０）と係合するドクターブレード（１３）、ブラシ、もしくは、噴射空気用ノズルであること、を特徴とする請求項６に記載の装置。
【請求項８】
前記回転対称の物体（６）は、粉末が重力により落ちない表面を有すること、を特徴とする請求項５に記載の装置。
【請求項９】
前記適量配分機構（１）は、入口開口部（８）に対して１８０°より大きく前記回転対称の物体（６）の回転方向（１２）にずれて設けられている出口開口部（１１）を有すること、を特徴とする請求項５乃至８のいずれか１に記載の装置。
【発明の詳細な説明】
【０００１】
【発明の属する技術分野】
本発明は、印刷されたシートに散粉する方法であって、シートの一面又は両面を印刷機で印刷した後に、粉末を適量配分機構によって貯蔵容器から取り出し、空気流によってシートに吹き掛け、シートが存在するときは何時でも、粉末を空気流中で運んで、吹き出す方法に関する。本発明は，更に、粉末用の貯蔵容器と、この貯蔵容器に後置されており、粉末を送る空気流に通じている適量配分機構とを具備し、印刷されたシートに散粉する装置に関する。
【０００２】
【従来の技術】
まだ湿っている印刷インクが紙積みの取出しの際に汚れないように、紙積みの取出し前に、印刷されたシートに散粉することは、周知である。通常は、散粉装置によってシートに散粉される。この散粉装置では、粉末が空気流と混合され、粉末が空気流によって運び出され、シートに塗布される。こうした散粉装置は、通常、貯蔵容器を有し、この貯蔵容器から粉末が粉末容器に注入される。この粉末容器へは空気流が吹き込まれて、粉末が吹き上げられ、流出する空気によって運び出される。次に、この空気はシートに吹き掛けられる。これらの散粉装置では、運び出される粉末の量が、粉末容器に入っている粉末の量と、空気流の流速とに非常に強く依存していること、及び、更に、粉末の種類が大きな役割を演じていることが明らかとなった。更に、散粉周波数が空気流の共振範囲に達するとき、脈動する空気流は大きな問題を生じる。
【０００３】
【発明が解決しようとする課題】
印刷されたシートに、より正確にかつ著しく容易に及び僅かな粉末損失で散粉することができる方法及び／又は装置を提供するという課題が、本発明の基礎になっている。
【０００４】
【課題を解決するための手段】
この課題は請求項１から明らかな方法によって解決される。
【０００５】
この方法により、散粉されるシートの表面が存在するときは何時でも、適量配分機構の、シートの存在に対応する同期によって、空気流に粉末を供給する。
【０００６】
このことは、継続的に空気が運ばれること、及び、この継続的に運ばれる空気流には、シートの散粉される表面が存在するときは何時でも、粉末が供給されること、を意味する。本発明に係わる方法は、従来技術に比べて、空気流でなく粉末がクロックパルスで供給されるという本質的な利点を有する。かくて、粉末の又は印刷されたシートの運搬に悪影響を及ぼすであろう共振が、空気流の中で形成されることはない。
【０００７】
散粉装置が、空気流の出口の直ぐ際にではなく、すなわち、ウェブの直前にあるので、時間的に早く、粉末が空気流に適量配分され、この時間的な早さが空気流の流速に及び空気管の長さに適合される。粉末は、印刷されたシートが噴射空気用ノズルの下にある、正にそのときに、吹き出される。シートが噴射空気用ノズルの下にないとき、粉末のない空気が吹き出される。
【０００８】
本発明の或る実施の形態は、空気流によって適量配分装置から粉末を吹き出す、すなわち、粉末を放出すること、を規定している。この方法は好都合である。何故ならば、粉末が既に空気と混合され、この方法では装置が摩耗されないからである。
【０００９】
【課題を解決するための手段】
明細書導入部に記載された課題は、本発明の装置を用いて、適量配分機構が、印刷されるシートの存在に対応して、同期的に駆動可能であることによって、解決される。印刷されたシートに散粉する必要があるときは何時でも、適量配分機構によって空気流に粉末が混入される。このことは、継続的な空気流を、既述のように、準備することができ、これにより、脈動するか振動する空気柱(Luftsaeule)を防止することができるという本質的な利点を有する。しかし、この空気流に粉末が供給されるのは、このことが必要であるとき、すなわち、シートが運ばれて散粉装置の脇を通って行くときのみである。
【００１０】
本発明に係わる或る実施の形態では、適量配分機構は、回転対称の物体、例えば、錐体、球体、特に水平に設けられた回転軸を有する適量配分用ロール、あるいは、適量配分用ベルトを有する。これらの搬送装置によって、粉末が貯蔵容器から空気流に運ばれ、これらの搬送要素は周期的に駆動される。
【００１１】
適量配分機構がロールとして形成されている実施の形態では、ロールは、搬送方向に延びている凹凸、例えば、周面に設けられ周方向に延びている溝を有する。これらの溝は、ロールの、粉末を収容する表面が、著しく増大されて、このことにより、粉末をロールに保つ付着力が、平滑な表面を有する適量配分要素よりも著しく高い、という本質的な利点を有する。この場合、粉末は、溝を有するロールに良好に付着していて、重力によって溝から決して落ちることはない。
【００１２】
US 4,867,063からは、表面に複数の小室を有するロールが公知である。小室を有するこの搬送装置によって、同様に、容易に、注入可能な材料を運びことができるが、粉末の搬送の際に、小室が次第に塞がって、運ばれる容量が時とともに減るという問題が生じる。小室を有するこのタイプの搬送装置では、長時間に亘っての容量の一定の運搬に対する保証がない。
【００１３】
本発明は、或る実施の形態の構成では、適量配分機構が、この適量配分機構から粉末を剥がす装置を有すること、を規定している。この剥がす装置はドクターブレード、ブラシ、噴射空気用ノズル等である。このタイプの装置は、比較的容易に、ロールの、周方向に延びている溝に係合して、粉末を剥がすことができる。小室を有する搬送装置では、このことは不可能である。何故ならば、例えばドクターブレードが、個々の小室に係合することができないからである。
【００１４】
或る実施の形態は、適量配分機構が粉末に好都合な表面を有すること、を規定している。
【００１５】
他の実施の形態では、適量配分機構は、同軸の複数のリングを有する円板(Kreisscheibe)であって、この円板の領域には貯蔵容器の開口部が載っているので、この開口部から、同軸のリングを通って粉末が運び出される。この粉末は、ドクターブレードによって,同軸のリングから取り除かれる。場合によっては、適切な装置を用いて、噴射空気用ノズルによっても粉末をリングから吹き出すことができる。
【００１６】
適量配分機構の同期的な駆動を可能にするために、適量配分機構は駆動装置としてステップモーターを有する。可変の回転数及び周波数を有するこのステップモーターは、印刷されたシート用の搬送装置(シート送出し装置)によって制御される。ステップモーターの駆動速度の変化は、体積流量の変化を引き起こす。クロック周波数の変化によって、適量配分機構をシートの寸法及び速度に適合させることができる。
【００１７】
粉末が貯蔵容器から流れ出ることを防ぐために、適量配分機構は、入口開口部に対して１８０°より大きく回転方向にずれて設けられている出口開口部を有する。かくして、粉末は入口開口部から適量配分機構のロールの溝を伝って出口開口部へと直に流れ、そこで、制御なしに、空気流に混入されることが防止される。
【００１８】
本発明の他の利点、特徴及び詳細は、以下の記述から明らかである。この場合、図面に示され、明細書及び請求項に記述された特徴は、個々別々に単独か任意の組合せで、本発明にとって本質的である。
【００１９】
【発明の実施の形態】
図面を参照して、特に好ましい実施の形態を詳述する。
【００２０】
図１では、参照符号１は適量配分機構を示している。この適量配分機構は貯蔵容器２として用いられかつ粉末が貯蔵されているホッパーを有する。貯蔵容器２は出口開口部４を有し、この出口開口部はロールハウジング５に載置されている。このロールハウジング５には、水平軸７を中心に回転自在に取り付けられている適量配分用ロール６が設けられている。この適量配分用ロール６は実質的にシリンダ状の形状を有し、ロールハウジング５に形成された対応の孔の中にほぼ遊びなしにある。出口開口部４はロールハウジング５の上方領域に設けられた入口開口部８に通じており、この入口開口部を通って、貯蔵容器２に貯蔵された粉末３はロールハウジング５に入りことができる。
【００２１】
図２には、入口開口部８がロール６の表面９に直接通じていることが認められる。適量配分用ロール６の表面９は、周方向に、多数の溝１０を有し、これらの溝は適量配分用ロール６の両側で入口開口部８を越えて延びている。この領域では、粉末は最早溝１０に達しないので、溝はそこではラビリンスシールとして作用する。粉末が詰められる溝１０によって、粉末は出口開口部１１の方向に運ばれる。この出口開口部は入口開口部８の直下に位置しているのではなく、入口開口部８に対して回転方向(矢印１２)に１８０°よりも大きくずれた位置にある(図１)。この出口開口部１１には、更に、適量配分用ロール６の溝１０に係合するドクターブレード１３がある。このドクターブレードによって、溝１０にある粉末３が拭われるので、粉末は出口開口部１１を通って、下に、ロールハウジング５から集合ホッパー１４に落下することができる。ドクターブレード１３は、溝１０が完全に空にされ、入口開口部８で再度粉末３の収容のために使われること、を保証する。
【００２２】
図２には、ロールハウジング５の下側１５で、適量配分用ロール６の、先の両端の領域に２つの孔１６が設けられていることが、更に認められる。漏れる粉末は、ラビリンスシールを通り抜けて、これらの孔を通って集合ホッパー１４へと除去されるので、粉末が軸７の軸受に達することはない。図２には、更に、適量配分用ロール６が片持ちにされており、保持台１７の一側には、駆動装置として用いられるステップモーター１９があり、保持台１７の他側には、ステップモーター１９のシャフトに装着されている適量配分用ロール６を有するロールハウジング５がある。適量配分用ロール６の片持ちはメンテナンスの目的及び／又は修理目的のための迅速で容易な交換を可能にする。保持台１７はボルト２７及びゴム緩衝器２８によって台２９に取着されている。
【００２３】
ステップモーター１９によって、特にステップモーターの回転数によって、運ばれる容量が調節される。ステップモーター１９の周波数によって、サイクル時間はシートの速度に従ってまたサイクル時間に適合される。
【００２４】
適量配分用ロール６によって運ばれる粉末は、既述のように、集合ホッパー１４に落下する。集合ホッパー自体は噴射装置２０に通じている。この噴射装置は接続部２１を有し、この接続部を通って空気が矢印２２の方向に吹き込まれる。この空気は,ノズル２３を通って、混合流路２４に入る。このとき、ホッパーのネック２５には低圧が生じる。低圧によって粉末は集合ホッパー１４から吸収され、混合流路２４の方向に運ばれ、そこで、粉末は空気流と混合され、矢印２６の方向に、適切な分配プラントへ更に運ばれる。集合ホッパー１４の全領域に低圧が生じることによって、粉末は適量配分機構全体から外に出ない。このことによって、シート出し装置の及び特に印刷機の汚染が防止される。
【図面の簡単な説明】
【図１】  散粉装置の適量配分機構の縦断面図を示している。
【図２】  図１に示したＩＩーＩＩの断面図を示している。
【図１】
0003790103.tif 000002
【図２】
0003790103.tif 000003